(57)【要約】【課題】帯水層に存在する汚染土壌に地下水が流入して汚染が拡大することを防止するとともに、時間及びコストをかけずに効果的な汚染土壌の浄化を行う優れた土壌浄化方法及び装置を提供する。【解決手段】土壌浄化装置５０において、帯水層１４の地下水と汚染土壌１６との接触を隔壁２０で遮断するため、地下水を介した土壌汚染の拡大を効果的に防止できる。また、薬液注入用井戸２２により汚染土壌１６の上部近傍から薬液が注入されるので、浄化に要する時間及びコストを低減できる。さらに、揚水用井戸３８、注水用井戸４０、及び連結配管４２を用いて帯水層１４の地下水を揚水して注水し、薬剤層３０が常に帯水層１４よりも水位が高くなるように制御装置３６によって揚水量及び薬液量を調整することにより、水位の差による汚染土壌１６への流入を確実に防止できる。【選択図】    図２
2005046658.tif 000002
【特許請求の範囲】
【請求項１】
帯水層に存在する汚染土壌に対して薬液を注入することによって、前記汚染土壌に含まれる汚染物質の処理を行う土壌浄化方法において、
前記帯水層における地下水の流れに対して前記汚染土壌の上流側の上流側帯水層を遮断することにより、前記汚染土壌への前記地下水の流入を防止し、
前記汚染土壌に対して前記薬液を注入して、前記汚染土壌を前記薬液で浸漬させて薬液層を形成するとともに、
前記薬液層の水位を、前記上流側帯水層の水位よりも高く保持することを特徴とする土壌浄化方法。
【請求項２】
前記帯水層及び汚染土壌が、鉛直方向に対して透水性の高いローム層で構成されている場合には、
前記汚染土壌の上方近傍から、鉛直方向に前記薬液の注入を行うことを特徴とする請求項１の土壌浄化方法。
【請求項３】
前記上流側帯水層から地下水を引き抜いて、
前記帯水層における地下水の流れに対して前記汚染土壌より下流側の、下流側帯水層に注入することを特徴とする請求項１又は２の土壌浄化方法。
【請求項４】
帯水層に存在する汚染土壌に対して薬液を注入することによって、前記汚染土壌に含まれる汚染物質を処理する土壌浄化装置において、
前記帯水層における地下水の流れに対して前記汚染土壌よりも上流側の上流側帯水層を遮断する不透水性の隔壁と、
前記汚染土壌の上方近傍で前記薬液を注入して、前記汚染土壌を前記薬液で浸漬させて薬液層を形成するための薬液注入用井戸と、
前記帯水層の水位を測定する帯水層水位センサと、
前記薬液層の水位を測定する薬液層水位センサと、
前記帯水層水位センサと、前記薬液層水位センサとの測定値を基にして、前記薬液層の水位が前記帯水層の水位よりも高く保持するように前記薬液の注入量を制御する制御手段と、を備えたことを特徴とする土壌浄化装置。
【請求項５】
前記隔壁より上流側で揚水する揚水用井戸と、
前記汚染土壌よりも下流側で注水する注水用井戸と、を備えたことを特徴とする請求項４の土壌浄化装置。
【発明の詳細な説明】
【０００１】
【発明の属する技術分野】
本発明は、帯水層に存在する汚染土壌に対して薬液を注入することにより浄化を行う土壌浄化方法及び装置に関する。
【０００２】
【従来の技術】
従来、産業廃棄物の投棄や産業廃水の排出により、油類、重金属、揮発性有機化合物などの汚染物質が土壌に浸入して土壌が汚染されて汚染土壌が形成される。土壌が汚染されると帯水層をゆっくりと流れる地下水へ汚染物質が浸出して、その地下水の流れにより土壌汚染が広範囲に拡大し、生活環境に影響を及ぼす虞がある。そのため、環境基本法や水質汚濁防止法などによって土壌環境基準及び地下水の浄化基準が定められ、土壌及び地下水に含まれる様々な物質の濃度が規制されている。
【０００３】
その汚染土壌に対する浄化を行うために様々な取り組みがなされており、汚染土壌の上流側に分解を促進する物質又は微生物を直接注水して処理する浄化方法が多く採用されている。
【０００４】
特に、特許文献１では、汚染土壌範囲の周囲に不透水層のグラウトゾーンを形成し、該グラウトゾーン内から地下水を取水して曝気式処理装置に導入してから、曝気式処理装置で処理された浄化水を再度グラウトゾーン内に戻す、汚染土壌の浄化方法が開示されている。この方法により、注水による汚染土壌範囲の拡大を防止することができる。
【０００５】
【特許文献１】特開平５−２２８４６３号公報
【０００６】
【発明が解決しようとする課題】
しかしながら、従来の浄化方法や特許文献１の汚染土壌の浄化方法では、汚染土壌に対して水平方向から薬液の注入を行っているが、帯水層における地下水は極めてゆっくりと流れるため、汚染土壌に薬液を浸透させて浄化するのに多くの時間を要する。また、汚染土壌に到達する前に他の土壌と接触して薬液が反応してしまうため、薬液による汚染土壌に対する浄化作用が低減してしまうという問題がある。
【０００７】
本発明はこのような事情に鑑みてなされたもので、帯水層に存在する汚染土壌に地下水が流入して汚染が拡大することを防止するとともに、時間及びコストをかけずに効果的な汚染土壌の浄化を行う優れた土壌浄化方法及び装置を提供することを目的とする。
【０００８】
【課題を解決するための手段】
本発明の請求項１は前記目的を達成するために、帯水層に存在する汚染土壌に対して薬液を注入することによって、前記汚染土壌に含まれる汚染物質の処理を行う土壌浄化方法において、前記帯水層における地下水の流れに対して前記汚染土壌の上流側の上流側帯水層を遮断することにより、前記汚染土壌への前記地下水の流入を防止し、前記汚染土壌に対して前記薬液を注入して、前記汚染土壌を前記薬液で浸漬させて薬液層を形成するとともに、前記薬液層の水位を、前記上流側帯水層の水位よりも高く保持することを特徴とする。
【０００９】
また、本発明の請求項２は、請求項１の帯水層及び汚染土壌が、鉛直方向に対して透水性の高いローム層で構成されている場合には、前記汚染土壌の上方近傍から、鉛直方向に前記薬液の注入を行うことを特徴とする。
【００１０】
ここで述べる帯水層とは岩石の割れ目や土壌中の孔隙が地下水により飽和された層であり、ローム層とは少量の有機物を含んだ、砂、シルト、粘土が適当量混合している土壌で構成された層である。また、汚染土壌とは、土壌そのものの他、土壌中に存在する地下水も含むものとする。
【００１１】
請求項１及び２によれば、帯水層に存在する汚染土壌を浄化する際に、帯水層から汚染土壌へ地下水が流入して、汚染土壌中に含まれる汚染物質と接触して地下水を汚染し、その汚染された地下水により土壌汚染が拡大する可能性がある。そこで、帯水層における地下水の流れに対して汚染土壌より上流側を遮断することにより、帯水層を流れる地下水が汚染土壌へ流入することを阻止することができる。
【００１２】
こうして地下水の流れを遮断した後、汚染土壌の上方から薬液の注入を行うことにより、汚染土壌に対して短時間で効果的に薬液を注入することができる。なぜならば、帯水層及び汚染土壌が鉛直方向に対して透水性の高い土壌で構成されたローム層の場合には、汚染土壌に対して水平に注入するよりも鉛直に注入する方が短時間で効果的に薬液を浸透できる上、汚染土壌に対して水平方向に拡散せずに高い水位で浸漬された薬液層を形成することができるからである。
【００１３】
また、薬液を汚染土壌の近傍から注入することにより、汚染土壌以外の土壌との接触が少なくてすむため、汚染されていない土壌に含まれる成分と反応して消費されることを極力抑えられ、浄化に使用される薬液の量を低減することができる。
【００１４】
帯水層における地下水の流れは、水位及び水圧の高い方から低い方へ流れる傾向がある。一方、ローム層では水平方向よりも鉛直方向の方か薬液が浸透し易いので、薬液層は横方向に広がらずに高い水位で形成することができる。したがって、薬液層の水位を帯水層の水位よりも高い水位に保持することにより、帯水層の地下水が薬液層へ流入して薬液層の薬液濃度が低下することを防止できるので、汚染土壌に対して薬液の注入による浄化をより効果的に行うことができる。
【００１５】
このように、地下水の遮断と薬液層の形成とを組み合わせて汚染土壌の浄化を行うことにより、浄化に要する時間及びコストを大幅に削減することができる。
【００１６】
本発明の請求項３は、請求項１又は２の前記上流側帯水層の地下水を引き抜いて、前記帯水層における地下水の流れに対して前記汚染土壌より下流側の、下流側帯水層に注入することを特徴とする。
【００１７】
請求項３によれば、帯水層を遮断してその地下水が他に流れる方向がない場合には、時間とともに帯水層の水位が上昇して薬液層の水位よりも高くなる可能性がある。地下水は水位の高い方から低い方へと流れる傾向にあるため、遮断された箇所を回り込んだり隙間を通過したりして、帯水層から薬液層及び汚染土壌へ地下水が流入してしまう。地下水が薬液層及び汚染土壌に流入してしまうと、薬液層における薬液濃度が低下するだけでなく、浄化されなかった汚染土壌から汚染物質が地下水へ溶出して地下水を汚染する虞がある。そこで、遮断された帯水層から地下水を一旦引き揚げて、汚染土壌に対して地下水の流れに対して下流の位置に引き揚げた地下水を注入することにより、遮断した帯水層の水位が上昇することを効果的に防止することができる。
【００１８】
本発明の請求項４は前記目的を達成するために、帯水層に存在する汚染土壌に対して薬液を注入することによって、前記汚染土壌に含まれる汚染物質を処理する土壌浄化装置において、前記帯水層における地下水の流れに対して前記汚染土壌よりも上流側の上流側帯水層を遮断する不透水性の隔壁と、前記汚染土壌の上方近傍で前記薬液を注入して、前記汚染土壌を前記薬液で浸漬させて薬液層を形成するための薬液注入用井戸と、前記帯水層の水位を測定する帯水層水位センサと、前記薬液層の水位を測定する薬液層水位センサと、前記帯水層水位センサと、前記薬液層水位センサとの測定値を基にして、前記薬液層の水位が前記帯水層の水位よりも高く保持するように前記薬液の注入量を制御する制御手段と、を備えたことを特徴とする。
【００１９】
請求項４によれば、帯水層に存在する汚染土壌に対して、帯水層における地下水の流れに対して汚染土壌よりも上流側に、帯水層の最下層まで達する高さを有する不透水性の隔壁を設けることにより、帯水層の地下水が汚染土壌へ流入することを阻止することができる。
【００２０】
また、汚染土壌の上方近傍から汚染土壌に対して薬液を注入する薬液注入用井戸を設けることにより、ローム層では鉛直方向に浸透し易いため薬液が短時間で土壌を浸透して、横方向に拡散せずに縦方向に浸漬した薬液層を形成することができるので、短時間で効果的に汚染土壌を浄化することができる。加えて、薬液が他の土壌と接触して他の土壌中の成分と反応することを極力抑えることができるので、汚染土壌の浄化に使用される薬液の量を大幅に削減することができる。
【００２１】
さらに、帯水層及び薬液層に各水位を測定するための帯水層水位センサ及び薬液層水位センサを設けることにより、帯水層及び薬液層の水位が常に測定することができる。そして、帯水層水位センサ及び薬液層水位センサにおける測定値を基にして、薬液層の水位が帯水層の水位よりも常に高く保持するように、注入する薬液量を制御手段で制御することにより、水位の差による帯水層から薬液層への地下水の流入を防止できるので、安定して薬液による汚染土壌の浄化を行うことができる。
【００２２】
本発明の請求項５は請求項４において、前記隔壁より上流側で揚水する揚水用井戸と、前記汚染土壌よりも下流側で注水する注水用井戸と、を備えたことを特徴とする。
【００２３】
請求項５によれば、隔壁よりも上流側に設けられた揚水用井戸から上流側帯水層の地下水を揚水して、汚染土壌よりも下流側に設けられた注水用井戸へ地下水を注水することにより、帯水層の地下水は汚染土壌を通過させずに揚水用井戸から注水用井戸へ流すことができるので、遮断された地下水の流れが隔壁を回り込んだり隙間から進入したりして、地下水が汚染土壌へ達して汚染されることを確実に阻止することができる。したがって、大雨や地下水の流れなど、環境の変化によって上流側帯水層の水位が上昇したとしても、帯水層及び薬液層の水位の関係が常に安定して保持することができるので、より安定した薬液による汚染土壌の浄化を行うことができる。
【００２４】
【発明の実施の形態】
以下添付図面に従って本発明に係る土壌浄化方法及び装置における好ましい実施の形態について詳説する。
【００２５】
図１は、本発明の第１の実施の形態である土壌浄化装置１０の概略構成を示した断面図であり、隔壁及び薬液注入用井戸を設けた例である。
【００２６】
図１に示すように、ローム層１２は主に風化した火山灰などの透水性の高い土壌が堆積することにより形成され、その下には粘土などの不透水性の土壌が堆積することにより不透水層１８が形成される。雨などの水がローム層１２へ浸入して不透水層１８の上部に溜まることにより、帯水層１４が形成される。汚染土壌１６は、ローム層１２の一部に汚染物質が浸入して残留することにより、帯水層１４とほぼ同じ深さに形成される。
【００２７】
土壌浄化装置１０は、主に隔壁２０、薬液注入用井戸２２、薬液タンク２４、薬液注入配管２６、薬液注入ポンプ２８、及び制御装置３６で構成される。
【００２８】
隔壁２０は不透水性の材質で構成されており、帯水層１４における地下水の流れる方向を基準として汚染土壌１６よりも上流側に位置し、地表から不透水層１８に達するまでの高さを有している。隔壁２０の幅としては、帯水層１４の地下水が汚染土壌１６へ流入することを防止できる幅であることが好ましい。
【００２９】
薬液注入用井戸２２は、地表から汚染土壌１６の上部近傍までローム層１２を掘削することにより形成される。地表には薬液注入用井戸２２から汚染土壌１６へ注入する薬液を貯留するための薬液タンク２４が設けられ、薬液注入用井戸２２と薬液タンク２４とは薬液注入配管２６によって連結される。薬液注入配管２６には薬液注入ポンプ２８が設けられ、この薬液注入ポンプ２８を駆動させることにより、薬液タンク２４に貯留された薬液は薬液注入配管２６及び薬液注入用井戸２２を介して汚染土壌１６へと注入される。なお、薬液注入用井戸２２は汚染土壌１６に対して薬液を効果的に浸漬できる構造であることが好ましい。
【００３０】
薬液としては、酸化剤や還元剤など汚染土壌１６に含まれる汚染物質を化学的に分解して浄化できる物質が使用され、注入し易い溶液状のものを用いることが好ましい。なお、薬液は汚染土壌１６の汚染物質に対して化学的分解を行う物質に限定するものではなく、薬液として汚染物質の分解能を有する微生物や栄養塩などを含む溶液を注入して、注入した微生物や土壌中に存在する微生物の活性を高めることにより、汚染土壌１６中の汚染物質を分解させてもよい。
【００３１】
こうして薬液注入用井戸２２から汚染土壌１６に薬液を注入して浸漬することにより、薬液層３０が形成される。薬液層３０には、薬液層水位センサ３２が設けられており、薬液層３０における地下水の水位を測定する。薬液層水位センサ３２としては、圧力によって地下水位を測定できる投げ込み式の水位センサを使用することが好ましい
一方、隔壁２０よりも上流側の帯水層１４には、帯水層水位センサ３４が設けられる。帯水層水位センサ３４としては、圧力によって地下水位を測定できる投げ込み式の水位センサを使用することが好ましい。
【００３２】
薬液層水位センサ３２及び帯水層水位センサ３４は、地表に設けられた制御手段である制御装置３６と接続しており、薬液層水位センサ３２及び帯水層水位センサ３４で水位を測定した測定値が送信される。そして、制御装置３６は薬液注入ポンプ２８とも接続しており、制御装置３６において測定値を基に薬液注入ポンプ２８の駆動が制御される。
【００３３】
次に、上述した本発明の第１の実施の形態である土壌浄化装置１０における作用について説明する。
【００３４】
土壌浄化装置１０として隔壁２０を設けることにより、帯水層１４の地下水が汚染土壌１６へ流入することを防止することができる。これにより、汚染土壌１６から汚染物質が溶出して地下水が汚染されることを阻止することができるので、汚染された地下水により汚染物質が拡散して土壌の汚染が拡大することを効果的に防止することができる。
【００３５】
また、汚染土壌１６の上部から薬液の注入が行われるように薬液注入用井戸２２を設けることにより、汚染土壌１６に対して確実に浄化を行うことができる。なぜならば、風成層であるロームなどで形成されたローム層１２は、水平方向よりも鉛直方向の方が透水性が高く通水し易い特徴を有しているからである。したがって、鉛直方向から薬液の注入を行うことにより、より短時間で汚染土壌１６に薬液を浸透させることができるので、汚染土壌１６の浄化にかかる時間を大幅に削減することができる。
【００３６】
加えて、薬液の注入を行う際に薬液が汚染されていない土壌と接触すると、汚染されていない土壌の成分に対して薬液が反応してしまう可能性がある。すると、汚染土壌１６に達するまでに薬液の効力が減少してしまうので、汚染土壌１６に含まれる汚染物質の分解に必要な量よりも多めに注入しなければならない。そこで、薬液注入用井戸２２を汚染土壌１６の上方近傍まで伸ばして、汚染土壌１６の上方近傍から注入を行うことにより、注入された薬液は直接汚染土壌１６へ注入されるので、汚染されていない土壌に接触して消費される薬液量を極力抑えることができる。したがって、汚染土壌１６に対して注入される薬液量を削減することができるので、汚染土壌１６の浄化に要するコストを低減することができる。
【００３７】
ところで、土壌内に水が存在する場合には、その水は水位及び水圧の高い方から低い方へと流れる傾向にある。したがって、薬液層３０の水位が隔壁２０によって遮断された帯水層１４の水位よりも低い場合には、遮断された帯水層１４における地下水の流れが薬液層３０の方向へ向いてしまう可能性がある。そうすると、隔壁２０を回り込んで薬液層３０へ流れ込む方向に地下水が流れたり、隔壁２０の上部や隙間から薬液層３０へ地下水が流入したりする可能性がある。薬液層３０に地下水が流入してしまうと、薬液が希釈されてしまうので、汚染土壌１６の浄化を確実に行えないばかりでなく、浄化しきれなかった汚染土壌１６の汚染物質が地下水に溶出して帯水層１４の地下水が汚染される上、その汚染された地下水の流れにより土壌汚染の拡大を招く虞がある。
【００３８】
そこで、薬液層３０及び帯水層１４の水位を薬液層水位センサ３２及び帯水層水位センサ３４で常に測定し、薬液層水位センサ３２及び帯水層水位センサ３４における測定値を基に、制御装置３６で薬液注入ポンプ２８の駆動を制御して、薬液層３０の水位が常に帯水層１４の水位よりも高くなるように注入する薬液量を調整すれば、水位差による地下水の流入を確実に阻止することができる。これにより、安定して薬液による汚染土壌１６の浄化を行うことができる。汚染土壌１６に対して適量の薬液が注入されて薬液の浪費を低減することができるので、汚染土壌１６の浄化に要するコストを削減することができる。
【００３９】
図２は、本発明の第２の実施の形態である土壌浄化装置５０の断面図であり、逆Ｌ字型の薬液注入用井戸と、揚水用井戸と、注水用井戸と、を設けた例である。
【００４０】
図２に示すように、土壌浄化装置５０における構成は図１で示した土壌浄化装置１０と同様であるが、逆Ｌ字型の形状をした薬液注入用井戸２２と、地下水を揚水する揚水用井戸３８と、揚水した地下水を注水する注水用井戸４０と、が設けられる。
【００４１】
薬剤注入用井戸２２は、汚染土壌１６に対して鉛直方向に掘削して形成される鉛直部２２ａと、汚染土壌１６の上方近傍に対して水平方向に掘削して形成される水平部２２ｂとで構成される。なお、逆Ｌ時状の形状は特に限定されるものではなく、地表から汚染土壌１６の上方近傍へ薬液を供給する鉛直部２２ａと汚染土壌１６に対して薬液の注入を行う水平部２２ｂとで構成されていればよく、Ｌ字状や逆Ｔ字状でもよい。地表に設けられた薬液注入ポンプ２８を駆動させることにより、薬液タンク２４に貯留された薬液が薬液注入配管２６を介して薬剤注入用井戸２２の鉛直部２２ａを通過して、薬剤注入用井戸２２の水平部２２ｂへ供給される。すると、水平部２２ｂに設けられた図示しない多数の孔から汚染土壌１６の上方近傍に対して薬液が注入される。
【００４２】
揚水用井戸３８は帯水層１４における地下水の流れに対して隔壁２０よりも上流側に設けられ、帯水層１４に達するまでローム層１２を掘削することにより形成される。
【００４３】
また、注水用井戸４０は、帯水層１４における地下水の流れに対して汚染土壌１６よりも下流側に設けられ、注水用井戸４０は薬液層３０よりも低い位置で注入するように、薬液層３０よりも深い位置まで掘削することにより形成される。
【００４４】
揚水用井戸３８と注水用井戸４０とは連結配管４２により連結される。連結配管４２の揚水側、すなわち揚水用井戸３８の底部に揚水ポンプ４４が設けられ、揚水ポンプ４４を駆動することにより帯水層１４の地下水が揚水されて、連結配管４２を介して注水用井戸４０へ送水される。送水された地下水を注水用井戸４０の底部へ注水することにより、揚水された地下水が下流側帯水層４６と合流する。
【００４５】
下流側帯水層４６には、下流側帯水層水位センサ４８が設けられる。下流側帯水層水位センサ４８としては、圧力により地下水位を測定できる投げ込み式の水位センサを使用することが好ましい。下流側帯水層水位センサ４８は制御装置３６と接続しており、下流側帯水層水位センサ４８の測定値は制御装置３６に送信される。
【００４６】
また、揚水ポンプ４４も制御装置３６と接続しており、各測定値を基に制御装置３６によって揚水ポンプ４４の駆動が制御される。
【００４７】
次に、上述した本発明の第２の実施の形態である土壌浄化装置５０における作用について説明する。
【００４８】
薬液注入用井戸２２に汚染土壌１６の上方近傍に対して水平な水平部２２ｂを設けて、水平部２２ｂの横下方向に連なって配置された多数の孔から薬液の注入を行うことにより、汚染土壌１６に対してさらに効率のよい薬液注入を行うことができる。これにより、汚染土壌１６の浄化に要する時間をさらに短縮できるとともに、水平方向に広がらない水位の高い薬液層３０を形成することができる。
【００４９】
また、帯水層１４に、揚水用井戸３８、連結配管４２、及び注水用井戸４０を経て下流側帯水層４６へ合流させる地下水の流路を形成することにより、地下水はこの流路を優先して通過するため、薬液層３０及び汚染土壌１６への地下水流入をより確実に阻止することができる。したがって、大雨や地下水の合流などの環境の変化により、帯水層１４の地下水量が増加して水位が上昇したとしても、帯水層１４から地下水を揚水して下流側帯水層４６へ注水されるため、より安定して薬液による汚染土壌１６の浄化を行うことができる。
【００５０】
さらに、下流側帯水層４６には制御装置３６と接続した下流側帯水層水位センサ４８が設けられ、揚水ポンプ４４も制御装置３６と接続しているので、制御装置３６により帯水層１４、薬液層３０、及び下流側帯水層４６の水位を調整することができる。すなわち、帯水層１４の水位が上昇した場合には、帯水層１４の水位を下げて薬液層３０の水位が帯水層１４及び下流側帯水層４６の水位より高く保つように、制御装置３６により薬液注入ポンプ２６及び揚水ポンプ４４を駆動させればよい。また、帯水層１４の水位が下降した場合には、薬液層３０の水位が帯水層１４及び下流側帯水層４６よりも高く保持できる程度の薬液量を注入するように、制御装置３６によって注入する薬液量を減少させるように薬液注入ポンプ２８を駆動させ、かつ揚水ポンプ４４を停止させればよい。さらに、帯水層１４及び下流側帯水層４６の水位が上昇した場合には、薬液層３０の水位が帯水層１４及び下流側帯水層４６よりも高く保持できる程度の薬液量を注入するように、制御装置３６によって注入する薬液量を増加させるように薬液注入ポンプ２８を駆動させて、かつ帯水層１４及び下流側帯水層４６の水位を同じ高さになるように揚水ポンプ４４を駆動させればよい。
【００５１】
これらのことから、土壌浄化装置５０では、どのような環境下でもより安定した薬液による汚染土壌１６の浄化を行えるとともに、汚染土壌１６に対して適切な薬液量を注入して浄化を行うので、浄化に要するコストをさらに削減することができる。
【００５２】
なお、上述したに土壌浄化装置１０，５０において、各部材及び装置の個数、形状、材質などは特に限定するものではない。
【００５３】
また、水位の差により薬液層３０から帯水層１４及び下流側帯水層４６へ薬液が流入したとしても、薬液によって浄化された後の地下水であるので問題はなく、薬液の流入による汚染の拡散は発生しない。
【００５４】
さらに、揚水用井戸３８から揚水された地下水は、そのまま連結配管４２及び注水用井戸４０を介して下流側帯水層４６へ合流させたが、特に限定するものではない。汚染土壌１６に流入しない他の場所で放水させてもよい。また、揚水の一部を薬液タンク２４に合流させる配管を新たに設けて、薬液タンク２４で薬剤と混合させて薬液の原料として用いるようにすれば、汚染土壌１６の浄化に要するコストをさらに削減することができる。
【００５５】
【発明の効果】
以上説明したように、本発明に係る土壌浄化方法及び装置において、帯水層から汚染土壌へ流入する地下水を遮断して、汚染土壌に対して上方近傍から薬液を注入して帯水層よりも水位の高い薬液層を形成することにより、帯水層の地下水が汚染土壌へ流入して地下水を介した汚染物質の拡大を効果的に防止することができるとともに、汚染土壌に対して薬液を短時間で効果的に注入することができる。
【００５６】
また、遮断した帯水層から地下水を揚水して、揚水した地下水を汚染土壌よりも下流で注水することにより、どのような環境下においても帯水層から薬液層及び汚染土壌へ地下水を流入させないので、薬液による安定した汚染土壌の浄化を行うことができる。
【００５７】
これらにより、帯水層に存在する汚染土壌に対して、時間及びコストを大幅に削減した効果的な浄化を行うことができる。
【図面の簡単な説明】
【図１】本発明の第１の実施の形態である土壌浄化装置の概略構成を示した断面図
【図２】本発明の第２の実施の形態である土壌浄化装置の概略構成を示した断面図
【符号の説明】
１０，５０…土壌浄化装置、１２…ローム層、１４…帯水層、１６…汚染土壌、１８…不透水層、２０…隔壁、２２…薬液注入用井戸、２２ａ…鉛直部、２２ｂ…水平部、２４…薬液タンク、２６…薬液注入配管、２８…薬液注入ポンプ、３０…薬液層、３２…薬液層水位センサ、３４…帯水層水位センサ、３６…制御装置、３８…揚水用井戸、４０…注水用井戸、４２…連結配管、４４…揚水ポンプ、４６…下流側帯水層、４８…下流側帯水層水位センサ
【図１】
2005046658.tif 000003
【図２】
2005046658.tif 000004